(57)【要約】【課題】  本発明の根本的な目的は赤外線のレンズとＬＥＤのレンズを一体・共有化させ、フィルター（レンズ）に可視光が入射して、検知部に届いても誤作動を起こさない赤外線近接センサーを提供すること。【解決手段】  赤外線近接センサー１において、前記赤外線近接センサー１の共振ポイント部と、前記共振ポイント部のピーク値検出する検出部１ｂと、ピーク値に一定の抵抗値をかける抵抗部１ｄと、光の全波長を通過減衰するフィルター８とを具備することを特徴とする。【選択図】図１
2011053079.tif 000002
【特許請求の範囲】
【請求項１】
赤外線近接センサーにおいて、前記赤外線近接センサーの共振ポイント部と、前記共振ポイント部のピーク値を検出する検出部と、前記ピーク部に一定の抵抗値をかける抵抗部と、光の全波長を通過減衰するフィルターとを具備することを特徴とする赤外線近接センサー。
【請求項２】
請求項１記載の赤外線近接センサーと、複数若しくは単数のＬＥＤ（発光ダイオード）とを具備することを特徴とする赤外線センサーレンズ兼用ＬＥＤ表示装置。
【請求項３】
フォトダイオード、フォトトランジスタ等を含めた半導体素子をさらに具備することを特徴とする請求項２記載の赤外線近接センサーレンズ兼用ＬＥＤ装置。
【請求項４】
前記全波長を通過減衰するフィルターは、色つきＰＥＴ（ポリエチレンテレフタラート）材、色つきアクリル材、色つきポリカーボネート材の少なくともいずれかであることを特徴とする請求項１記載の赤外線近接センサー。
【請求項５】
前記全波長を通過減衰するフィルターは、色つきＰＥＴ材（ポリエチレンテレフタラート）、色つきアクリル材、色つきポリカーボネート材の少なくともいずれかであることを特徴とする請求項２記載の赤外線センサーレンズ兼用ＬＥＤ表示装置。
【発明の詳細な説明】
【技術分野】
【０００１】
本発明はたとえば、赤外線センサーレンズ兼用ＬＥＤ表示装置及び赤外線センサーレンズとＬＥＤレンズとの一体化方法に関する。
【背景技術】
【０００２】
従来より、たとえば便器の人体検知センサーレンズのように、通常、赤外線リモコン及び赤外線を使用する検知部のレンズには波長フィルター特性を持たせたフィルター材（パラフィルター（登録商標）等）を常識的に使用する。赤外線センサーのレンズとＬＥＤレンズは別々であり、別々に発注され製造されているのが一般的である。
【０００３】
従来では、赤外線センサのレンズに一般のＬＥＤレンズは共有化できないというのが当業者の一般的な見解であった。この原因の一として、蛍光灯や太陽光などのセンサー窓に近接する光が赤外線センサーに誤作動を起こさせるという問題が知られていた。その解決手段として、次の三つの文献に開示される技術思想が提案されている。
【先行技術文献】
【特許文献】
【０００４】
【特許文献１】特開２００８−１１２７９２号公報
【特許文献２】特開平６−２５１６１６号公報
【特許文献３】特開昭５７−２５７３８号公報
【発明の概要】
【発明が解決しようとする課題】
【０００５】
特許文献２、特許文献３に提案されている干渉膜フィルターによって光ノイズを除去する方法は、半導体受光装置と干渉膜フィルターとの間に隙間が生じてしまい、蛍光灯からの光ノイズが回り込んでしまう場合があった。また、組立工程が複雑であるといった問題もあった。こういった問題を解消し、光ノイズが簡単に除去できる半導体受光素子及び半導体受光装置として特許文献１が提供された。しかしながら特許文献１に開示される技術思想では、蛍光灯の点灯直後のおよそ９１０ｎｍと、点灯中の１０１３ｎｍの光を遮断するのみであり、蛍光灯以外の光源、たとえばＬＥＤが光源の場合には、波長の値は変わるものの、赤外線近接センサーに誤作動を起こすことには変わりはない。
【０００６】
また特許文献１、２、３のいずれにおいても、上記の問題点を適切に解決し得ないため、赤外線近接センサーとＬＥＤのレンズを一体的にした、共有化するというような思想は今のところ皆無である。前述のように、赤外線近接センサーとＬＥＤレンズを一体・共有化させると、可視光がそのフィルター（レンズ）を通過しなければならない。したがってフィルター（レンズ）の外から近接の光が全て入射するため、そのような近接光・環境光に赤外線近接センサーが反応し、誤作動を起こすという問題が生じるのである。
【０００７】
そもそも、蛍光灯や太陽光などの近接光・環境光が、赤外線近接センサーに誤作動を起こさせるメカニズムは、蛍光灯や太陽光が発する光の波長が、赤外線の波長（およそ０．７μｍ〜０．１ｍｍ）に近い場合に、赤外線近接センサーの検知部が、赤外線を受光したと勘違いを起こし、その光を電気信号に変換し、テレビ・オーディオ等が勝手に付くなどの誤作動が起きるものである。
【０００８】
本発明は上述の問題点を適切に解決することを企図したもので、その根本的な目的は、フィルター（レンズ）に可視光が入射して、検知部に届いても誤作動を起こさない赤外線近接センサーを提供することである。本発明の別の目的は、赤外線のレンズとＬＥＤのレンズとを誤動作なく一体・共有化させる赤外線センサーレンズ兼用ＬＥＤ表示装置及び赤外線センサーレンズとＬＥＤレンズとの一体化方法を提供することにある。
【課題を解決するための手段】
【０００９】
かかる目的を達成するために、請求項１記載の本発明は、赤外線近接センサーにおいて、前記赤外線近接センサーの共振ポイント部と、前記共振ポイント部のピーク値を検出する検出部と、前記ピーク部に一定の抵抗値をかける抵抗部と、光の全波長を通過減衰するフィルター（レンズ）とを具備して構成される。
【００１０】
本発明はセンサー窓周辺の近接光から赤外線近接センサーの誤作動を防止する方法として、センサーに存在する共振ポイントのピークを見つけ出し、そのポイントに後述する一定の抵抗値をかけるものである。このセンサーが反応する独自の共振ポイントをカットアンドトライで見つけ出し、ほぼ１００％の確率で誤作動を防止させることに成功した。その結果、赤外線センサーとＬＥＤを一つの基盤の上に乗せて、共通のレンズを使用することを実現可能とするものである。
【００１１】
赤外線近接センサーを制御する回路における電気抵抗定数範囲は３３０Ω〜約３ｋΩ、センシング距離（対象物から赤外線近接センサーまでの距離）は約２０ｍｍ〜４０ｍｍで行うとセンサーの感度は最も良い。
【００１２】
また上記定数範囲外であって、赤外線近接センサーの誤作動を防止する電気抵抗定数範囲があれば、抵抗定数範囲は３３０Ω〜約３ｋΩに限定されない。即ち、フィルター（レンズ）にパラペット（登録商標：株式会社クラレ製）を使用する場合には３９ｋΩ〜約５１ｋΩの定数範囲が好適である。
【００１３】
また上記構成によれば、掛けられる抵抗値が大きいため、赤外線近接センサーの待機時消費電流を３６μＡ以下に抑えることができ、バッテリーへの低負荷が実現できる。
【００１４】
また赤外線近接センサーとは、通常・一般的に流通・製造・販売されている、波長がおよそ０．７μｍ〜０．１ｍｍの赤外線を検知部が受光し、電気信号に変えることで、情報を発信するものである。赤外線センサーは熱型と量子型の二種類に分けられるが、本発明は後者である。一般的に赤外線近接センサーはポリシリコン製であるが、これに限定されるわけではない。
【００１５】
量子型の赤外線センサーについては、フォトトランジスタやフォトダイオード（ＰＮフォトダイオード、ＰＩＮフォトダイオード、アバランシェフォトダイオード、ショットキーフォトダイオードを含む）等の半導体素子が本発明と相性がよい。また前記フォトダイオードは主にシリコン（Ｓｉ）が使われるが、これに限定されない。即ちシリコン以外の材料ではＧａＡｓＰ、Ｇｅ、ＩｎＧａＡｓ／ＩｎＰ等にも応用可能である。
【００１６】
またＬＥＤとは通常・一般的に流通・製造・販売されている、電流を流すと発光する半導体素子の一種であり、赤外線領域から可視光領域、紫外線領域まで発光するものを含む。
【００１７】
電子回路とは、電子素子などを電気伝導体で接続し電流の通り道を作り、目的の動作を行わせる電気回路であり、赤外線近接センサーを制御し、上述の方法によりセンサー窓周辺の近接光による誤作動を防止させる機能を果たす。
【００１８】
また通常、赤外線リモコン、及び赤外線を使用する検知レンズには赤外線と赤色を通過する、波長フィルター特性を持たせたフィルター材（パラフィルター等）が常識的に使用される。しかしパラフィルターでは、青色、緑色の可視が厳しい。
【００１９】
そこで本発明は、３色のＲＧＢ−ＬＥＤと赤外線近接センサーを同じ基盤に乗せ、一つの窓でＬＥＤと可視光の通過を可能にする。このようなことを可能にするフィルター材としては、光の全波長を通過減衰させる特徴を持った色つきＰＥＴ（ポリエチレンテレフタラート）材、色つきアクリル材、色つきポリカーボネート材等によって生成・製造されるものを用いることができる。たとえば、パラペット（登録商標：クラレ社製）、ユーピロンシート（三菱エンジニアプラスチック製）、セプカルシート（信越ポリマー製）、サンテルフィー（サンデルタ製）、ファインライト（登録商標：住友ベークライト製）、サンロイド（登録商標：住友ベークライト製）、ポリカエース（登録商標：住友ベークライト製）を使用することで、本発明の機能を効率よく発揮することができる。
【００２０】
また筐体内においては、光は、一般的に乱反射するものであり、さらに白色の筐体は光の乱反射を起こし易い。したがって、上述の一体的に共有するレンズをより確実に固定し、赤外線近接センサー周辺における光の乱反射防止の為に、黒色もしくは黒色に近いグレー色の、樹脂系の両面テープで固定するのが好適である。
【００２１】
また、前記両面テープは、静電気対策のため、ゴム系のものを採用して構成しても構わない。
【００２２】
さらに、前記筐体を黒色にする場合は、黒色もしくは黒色に近いグレー色の、ゴム系もしくは樹脂系の両面テープは特に必要ない。
【００２３】
上記構成を備えることにより、赤外線近接センサーにおいて、蛍光灯や太陽光などの近接光・環境光がセンサー窓より入射すると、フィルター（レンズ）により、波長は通過減衰し、赤外線近接センサーの検知部が作動した場合、検出部は、共振ポイント部のピーク部を検出し、抵抗部はピーク部に一定の抵抗をかけると、赤外線近接センサーの誤作動は防止される。
【００２４】
したがって、本発明によれば、赤外線近接センサーのレンズとＬＥＤのレンズとが一体・共有化され、フィルター（レンズ）に可視光が入射して、検知部に届いても誤作動を起こさない赤外線近接センサーを実現できる。
【００２５】
上記構成において、前記共振ポイント部およびピーク部はカットアンドドライ方式により見つけ出すことができる。
【発明の効果】
【００２６】
本発明によれば、赤外線近接センサーのレンズとＬＥＤのレンズとが一体・共有化され、フィルター（レンズ）に可視光が入射して、検知部に届いても誤作動を起こさない赤外線近接センサーを実現できる。即ち赤外線近接センサーとＲ（赤）Ｇ（緑）Ｂ（青）ＬＥＤを一つの基盤の上に乗せることが可能であり、複数のＬＥＤを乗せることで、赤外線センサー装置がディスプレイとしての機能を果たすことが実現されうる。また別々に生成・製造されていた赤外線近接センサーレンズと、ＬＥＤレンズを分けて発注する必要がなくなりコスト面においても有意義である。
【図面の簡単な説明】
【００２７】
【図１】本発明の一実施形態に係る赤外線近接センサーとフィルター（レンズ）の機能構造を示す概要図である。
【図２】本発明の一実施形態に係る赤外線近接センサーとＬＥＤが並列された正面図である。
【図３】本発明の一実施形態に係るパラフィルターとパラペットにおける光の透過率を示す図である。
【図４】本発明の一実施形態に係るパラペット通過後のＬＥＤ光度を表す図である。
【図４Ａ】パラフィルターＰＦ６８（色番）通過後のＬＥＤ光度を表す図である。
【図５】本発明の一実施形態に係るレンズ濃度の高いものを示す図である。
【図５Ａ】本発明の一実施形態に係るレンズ濃度の低いものを示す図である。
【図６】本発明の一実施形態に係る赤外線近接センサーとフィルター（レンズ）の共有の筐体内の構造を示す断面図である。
【図７】本発明の一実施形態に係る制御回路図である。
【図８】本発明の一実施形態に係るオームの推奨定数を表すグラフ図である。
【図９】本発明の一実施形態に係る環境光の反射模様を示す図である
【図１０】従来の赤外線近接センサーを自動ドアに組み込んだ図である。
【図１０Ａ】本発明の一実施形態に係る赤外線近接センサー及びＬＥＤ装置を自動ドアに組み込んだ図である。
【発明を実施するための最良の形態】
【００２８】
以下、図面を参照して本発明を実施するための形態を説明する。なお、以下では、本発明の目的を達成するための説明に必要な範囲を模式的に示し、本発明の該当部分の説明に必要な範囲を主に説明することとし、説明を省略する箇所については公知技術によるものとする。
【００２９】
図１は本発明の一実施形態に係る赤外線近接センサーとフィルター（レンズ）の機能構造を示す概要図である。赤外線近接センサー１は、赤外線やその他の光を受光する検知部１ａと、赤外線近接センサー１に存在する共振ポイント部１ｃと、共振ポイント部１ｃのピーク値を検出する検出部１ｂと、ピーク値に一定の抵抗値をかける抵抗部１ｄと、光の全波長を通過減衰するフィルター（レンズ）８で構成される。なお、同図においては、寸法的な面においては実際を反映していない場合がある。
【００３０】
図２は本発明の一実施形態に係る赤外線近接センサーとＲＧＢ−ＬＥＤが並列された態様における正面図である。近接センサー１の右隣にはＲＧＢ−ＬＥＤが配置される。また、赤外線近接センサー１とＲＧＢ−ＬＥＤを支持するのは、（同図では図示されない）基盤である。なお、これらの位置関係は特にこれに限定されることはなく、可能な範囲で詰めたり、広げたりすることを妨げない。たとえば、ＬＥＤの複数個使用すれば、赤外線近接センサー及びＬＥＤ装置はフルカラーディスプレイとしても機能する。
【００３１】
図３は本発明の一実施形態に係る、パラフィルター（登録商標）とパラペット（登録商標）における光の透過率を示す図である。パラペット（ＰＰ）（登録商標）は透過率１０％〜５３％程度の範囲に収まるグラフ、パラフィルター（ＰＦ）（登録商標）は透過率０％〜約９０％程度の範囲に収まるグラフで示される。パラペット（登録商標）は、光の全波長を通過減衰させるメタクリル樹脂の成形材料である。またパラフィルター（登録商標）は、株式会社クラレのフィルターグレード製品である。パラペットの波長の透過率は６１ｎｍ〜６７０ｎｍでは１０％〜５０％、６７０ｎｍ以上では５０％〜５５％で一定である。対して、パラフィルターの波長の透過率は、８２０ｎｍ〜８５０ｎｍでは１０％、８５０ｎｍ〜８８０ｎｍでは１０％〜８０％であり、８８０ｎｍから透過率８０％以上の数値を維持する。５０％の透過率でも、赤外線近接センサー１は十分に反応する。限界としてのおよそ３０％まで赤外線近接センサー１は反応する。しかし、透過率が減少するにつれて、赤外線近接センサー１と対象物までの距離も縮まる。また、同図における数値は、任意に選定する光の全波長を通過減衰させるフィルター材を使用することにより、変化するものであるので、これに限定されない。
【００３２】
パラペット（登録商標）に代わるフィルター材としてほかに、色つきＰＥＴ（ポリエチレンテレフタラート）材、色つきアクリル材、色つきポリカーボネート材では、ユーピロンシート（三菱エンジニアプラスチック）、セプカルシート（信越ポリマー）、サンテルフィー（サンデルタ）、ファインライト（住友ベークライト）、サンロイド（住友ベークライト）、ポリカエース（住友ベークライト）等を用いることができる。
【００３３】
図４は本発明の一実施形態に係るフィルター通過後のＬＥＤ光度を表す図である。パラペット（登録商標）通過後のＬＥＤ光度を表している。対して、図４Ａに示すのは、パラフィルターＰＦ６８（色番）（登録商標）通過後のＬＥＤ光度を表すものである。パラフィルター（登録商標）では材料配分で通過波長を調整しており、赤外線に波長が近い赤が可視可能であるが、青色は可視が困難である。また緑も青色ほどではないが、可視の困難性が見られる。これに対してパラペットでは、図示のとおり、赤、緑、青のいずれのも色も明確に見られることが認められる。
【００３４】
図５、５Ａは本発明の一実施形態に係るレンズ濃度の高低差を表す図である。図５はレンズ濃度が高いものを示し、図５Ａはレンズ濃度が低いものを示す図である。レンズに使用されるフィルター材としては上記の通りである。
【００３５】
図６は本発明の一実施形態に係る赤外線センサー１とフィルター（レンズ）８の共有の筐体内の構造を示す断面図である。この筐体内には、赤外線近接センサー１と、光が入出射するセンサー窓６と、前記筐体を覆う外カバー７と、内カバー７Ａと、フィルター（レンズ）８と、レンズをカバーする両面テープ９と、メイン基盤１０と、スペーサー１１と、ネジ１２と、アンテナ基盤１３と、リードフレーム１４とが図示のように組み合わされて具備される。センサー窓６は略８ｍｍの幅を開けられているが、これに限定されるわけではない。また検知軸のセンターと赤外線近接センサー１の寸法上のセンターは約１．２ｍｍ開いているが、これに限定されない。また外カバー７、内カバー７Ａ共に白色であり、筐体内における光の乱射防止や熱の吸収をするために、両面テープ９は黒色、もしくは黒色に近い色のものが好まれる。またこの両面テープ９は絶縁体としてゴム系のものが採用されているが、他には樹脂系のものが好まれる。カバーが黒色か濃いグレーならば、黒色両面テープは必要なくなる。また同図ではＬＥＤの表示は省かれている。またコストダウンのためメイン基盤１０を省いても構わない。
【００３６】
同図は、本発明の一例にすぎないものであるので、筐体内における各部品の位置関係、数量、種類はこれに限定されない。
【００３７】
図７は本発明の一実施形態に係る制御回路図である。回路図２５のＲ１とはプルアップ抵抗２０である。プルアップ抵抗とは回路を、抵抗器を挿んでＶｄｄに接続するときの抵抗器である。赤外線近接センサー１の出力端子に約３．３ボルトの電源電圧に４７０ｋΩのプルアップ抵抗を接続したものである。Ｒ２は赤外線近接センサーの調整用抵抗２０Ａである。Ｃ１２はノイズ吸収用コンデンサ２１である。Ｃ１３もノイズ吸収用コンデンサ２１Ａであるが、Ｃ１２は高周波領域を吸収し、Ｃ１３は低周波領域を吸収する。またＡ−ＬＥＤはアノードＬＥＤ、ＧＮＤはグラウンド、ＯＵＴは出力、ｐｒｏｇはセンサー調整用の端子、Ｖｄｄは電源電圧であり、その脇にナンバーが振ってあるのは、ピンの配置ナンバーである。
【００３８】
３３０Ω〜約３ｋΩの各抵抗値における電圧と電流のパラメータを表したものが図８である。縦軸がＩｄｄ、つまり単位μＡの電流であり、横軸がＶｄｄ、電圧である。赤外線近接センサー１が２．４Ｖ〜３．６Ｖまで使用可能な電圧である。３３０、４７０、２ｋはいずれも抵抗値であり、ｉｎｆは限界ポイントである。抵抗値が高くなるほど流れる電流の値は小さくなるので、消費電力を抑えることが可能となる。
【００３９】
次に、上記のように構成される本発明の動作について詳しく説明する。
【００４０】
図１に示すように、近接光・環境光がフィルター（レンズ）８を通過すると、光の波長は減衰する。減衰した光は検知部１ａが受光し、その中でも赤外線近接センサー１の誤作動を起こす共振ポイント部１ｃのピーク値に抵抗部１ｄが一定の抵抗をかけて誤作動を防止する。
【００４１】
抵抗部１ｄかける一定の抵抗値は図７に示すとおりである。即ち、まず推奨定数範囲３３０Ω〜３ｋΩで使用するのが好まれる。しかしフィルター（レンズ）８の材料としてパラペット（登録商標）４を採用する場合には、３９ｋΩ〜５１ｋΩで使用するのが望ましい。また抵抗値が大きいため、消費電力も小さくなる。具体的には１００μＡ〜３０μＡまで減少する。またセンシング距離とはもともと赤外線近接センサー１が持つ性能であるが、対象物から赤外線近接センサー１までの距離である。それが２０ｍｍ〜４０ｍｍである。これにカバーやレンズをつけるとセンシング距離は約５ｍｍ〜１０ｍｍと変化する。Ｎとはここでは基盤の数をさす。Ｎ＝１０とは即ち、基盤の数が１０個ということであり、その数において実験してもほぼ１００％の確率で成功する。また気温−２０℃〜４５度での正常な動作が認められる。
【００４２】
図９は本発明の一実施形態に係る赤外線の反射の様子を概念的に示す図である。基盤１０に積層されたもののうち、「Ｅ」と表示されるものは赤外線の発光ブロック１Ａである。「Ｄ」と表示されるものが赤外線を受光するブロック１Ｂである。環境光は赤や橙や黄色の、比較的赤外線に近い波長の近接光であり、本来であれば、この光を受けた受光ブロック１Ｂは誤作動を起こしてしまうが、本発明の構造だとそれがおこらない。またクロストークとは、受光ブロック１Ｂ上に入射した赤外線が、基板１０を伝搬していく現象で、その伝搬した熱が、隣接する反対の極性を有する受光ブロック１Ｂに到達すると、本来の受光ブロック１Ｂから発生する出力を打ち消す方向に働く現象のことである。
【００４３】
図１０は本発明の一実施形態に係る従来の赤外線近接センサーを自動ドアに組み込んだ場合の様子を概念的に示す正面図で、図１０Ａは赤外線近接センサー及びＬＥＤ装置（図示しない）を自動ドアに組み込んだ場合の様子を概念的に示す正面図である。図１０において、利用者から発せられる赤外線を赤外線近接センサー１が感知するが、表示板は赤色を表示するのみである。対して、図１０Ａにおいては、利用者から発せられる赤外線を赤外線近接センサー１が感知し、その際、ＲＧＢ−ＬＥＤによる多彩な表示方法によって、利用者により分かり易くメッセージを表現することが可能となる。
【００４４】
以上説明したように、本発明によれば、赤外線近接センサーのレンズとＬＥＤのレンズが一体・共有化され、フィルター（レンズ）に可視光が入射して、検知部に届いても誤作動を起こさない赤外線近接センサーを実現できる。
【００４５】
また本発明によれば、赤外線近接センサーとＲ（赤）Ｇ（緑）Ｂ（青）ＬＥＤを一つの基盤の上に乗せることが可能であり、複数のＬＥＤを乗せることで、赤外線センサー装置がディスプレイとしての機能を果たすことが実現されうる。
【００４６】
また本発明によれば、従来別々に生成・製造されていた赤外線近接センサーレンズと、ＬＥＤレンズを分けて発注する必要がなくなりコスト面においても有意義である。
【００４７】
本願発明は、上述した実施形態に限定されるものでなく、その技術思想の同一及び等価に及ぶ範囲において上述した実施形態への様々な変形、追加、置換、拡大、縮小等を許容するものである。さらに、上述したものは本願に係る技術思想を具現化するための実施形態の一例を示したにすぎないものであり、他の実施形態でも本願に係る技術思想を適用することが可能である。
【００４８】
さらにまた、本発明を用いて生産される装置、方法、システムが、その２次的生産品に搭載されて商品化された場合であっても、本発明の価値は何ら減ずるものではない。
【産業上の利用可能性】
【００４９】
上述したように本発明によれば、赤外線近接センサーに使用されるレンズと、ＬＥＤに使用されるレンズとの共有化、一体化が実現できる。つまり、たとえば、テレビやパソコンも液晶画面が赤外線近接センサーを備えることで、画面自体が受信機になることが可能となる。特にシンプルなデザインを追及する企業にとって、センサー窓やランプ表示を付加するのか、もしくは付加しないのかは死活問題であるので、非常に需要が高いといえる。これまで別々にされていたものを一つにしたもの、たとえばノートパソコンや、録画機能付きテレビなどが、社会的に与えた影響は計り知れない。つまり、元来別々なものを一つにすることで、さまざまな可能性が広がり、今後、赤外線センサー業界、ディスプレイ業界で本発明がスタンダードになる可能性が高い。
【００５０】
したがって、本願は、赤外線センサー業界のみならず、ディスプレイ・モニターを扱うシーンが発生し得る一般家庭を含めたあらゆる場で、或いは携帯音楽プレイヤーに携帯電話を含めたあらゆる機械器具において、さらにはテレビ業界、国・地方自治体レベルでの各種イベントから遠隔地間の企業におけるＴＶ会議の機会や、おもちゃ業界、広告業界、ホテル・観光業界、造船業界、自動車業界等の各種業界で、または宇宙開発プロジェクト等の各プロジェクトにおいてなど、様々な業界・機会で利用可能性が非常に高いものである。
【符号の説明】
【００５１】
１  赤外線近接センサー
１ａ  検知部
１ｂ  検出部
１ｃ  共振ポイント部
１ｄ  抵抗部
１Ａ  発光ブロック
１Ｂ  受光ブロック
２  ＲＧＢ−ＬＥＤ
３  基盤
６  センサー窓
７  筐体を覆う外カバー
７Ａ  内カバー
８  フィルター（レンズ）
９  両面テープ
１０  メイン基盤
１１  スペーサー
１２  ネジ
１３  アンテナ基盤
１４  リードフレーム
２０  プルアップ抵抗
２０Ａ  調整用抵抗
２１  ノイズ吸収用コンデンサ
２１Ａ  ノイズ吸収用コンデンサ
２５  回路図
【図１】
2011053079.tif 000003
【図６】
2011053079.tif 000004
【図７】
2011053079.tif 000005
【図８】
2011053079.tif 000006
【図９】
2011053079.tif 000007
【図１０】
2011053079.tif 000008
【図１０Ａ】
2011053079.tif 000009
【図２】
2011053079.tif 000010
【図３】
2011053079.tif 000011
【図４】
2011053079.tif 000012
【図４Ａ】
2011053079.tif 000013
【図５】
2011053079.tif 000014
【図５Ａ】
2011053079.tif 000015